(57)【要約】      （修正有）【課題】無線オーディオ受信機がオーディオ出力装置に直接差し込んで使用されるため、幅広く応用することができる無線オーディオ伝送システムを提供する。【解決手段】無線オーディオ伝送システムは、オーディオ入力装置に差し込まれオーディオ信号を送信する無線オーディオ送信機と、オーディオ出力装置に差し込まれオーディオ信号を受信する無線オーディオ受信機と、を含む。オーディオ出力装置に第一差込口が設けられ、オーディオ入力装置に第二差込口が設けられる。無線オーディオ受信機は、オーディオ信号を受信する信号受信モジュールと、信号により信号受信モジュールに接続されて第一差込口に差し込む第一プラグ２０と、第一プラグに接続される第一ハウジング１０と、を含む。第一ハウジングは、開口を備え信号受信モジュールを収納する第一収納キャビティー１１を形成する。第一プラグ２０は、第一ハウジングの開口箇所に接続される。【選択図】図２
0003229959.tif 000002
【実用新案登録請求の範囲】
【請求項１】
オーディオ入力装置に差し込まれ且つオーディオ信号を送信するための無線オーディオ送信機と、オーディオ出力装置に差し込まれ且つ前記オーディオ信号を受信するための無線オーディオ受信機と、を含み、
ここで、前記オーディオ出力装置に前記無線オーディオ受信機が差し込まれるための第一差込口が設けられており、
前記オーディオ入力装置には前記無線オーディオ送信機が差し込まれるための第二差込口が設けられており、
前記無線オーディオ受信機は、前記オーディオ信号を受信するための信号受信モジュールと、信号により前記信号受信モジュールに接続され且つ前記信号受信モジュールが受信した前記オーディオ信号を前記オーディオ入力装置に伝送するように前記第一差込口に差し込むための第一プラグと、前記第一プラグに接続されている第一ハウジングと、を含み、
前記第一ハウジングは、開口を備え且つ前記信号受信モジュールを収納するための第一収納キャビティーを形成するように取り囲んでおり、
前記第一プラグは、前記第一ハウジングの開口箇所に接続されることを特徴とする無線オーディオ伝送システム。
【請求項２】
前記第一プラグは、さらに前記第一ハウジングに向かう端面に設置され且つ前記第一ハウジングに接続されるように前記第一プラグを位置決めするための位置決め凸部と、を含み、
前記第一ハウジングに前記位置決め凸部と嵌め合うように使用される位置決め溝が設けられている
ことを特徴とする請求項１に記載の無線オーディオ伝送システム。
【請求項３】
前記第一プラグは、前記第一収納キャビティーに延伸し且つ複数の接続アームを形成し、
複数の前記接続アームの一端は前記第一プラグに接続され、他端は前記第一ハウジングに接続され、前記位置決め凸部の両側に均一に配置されている
ことを特徴とする請求項２に記載の無線オーディオ伝送システム。
【請求項４】
各前記接続アームには第一接続孔が設けられており、
前記第一ハウジングには前記第一接続孔に対応する位置に第二接続孔が設けられている
ことを特徴とする請求項３に記載の無線オーディオ伝送システム。
【請求項５】
前記信号受信モジュールは、オーディオ信号を受信するためのアンテナを含み、
前記無線オーディオ受信機は、さらに、前記第一ハウジングに接続され且つ前記アンテナの外側を包むアンテナカバーを含む
ことを特徴とする請求項１に記載の無線オーディオ伝送システム。
【請求項６】
前記アンテナカバーの前記第一ハウジングに接続された端面には複数のフックが設置されており、
前記第一ハウジングには前記フックに対応する複数のフック溝が設けられており、
各前記フックは対応する前記フック溝内に係合されている
ことを特徴とする請求項５に記載の無線オーディオ伝送システム。
【請求項７】
前記第一収納キャビティー内に、前記信号受信モジュールに給電するための第一充電電源が設置されており、
前記第一ハウジングにはさらに前記第一充電電源に充電するための外部電源用の第一充電差込口が設けられている
ことを特徴とする請求項１に記載の無線オーディオ伝送システム。
【請求項８】
前記無線オーディオ受信機は、さらに、いずれも前記第一ハウジングに設置されて前記第一充電電源と前記信号受信モジュールとの間の電気的接続をオン／オフするための第一電源ボタンと、前記信号受信モジュールの通信チャネルを切り換えるための第一周波数変調ボタンと、を含む
ことを特徴とする請求項７に記載の無線オーディオ伝送システム。
【請求項９】
前記無線オーディオ送信機は、外部に前記オーディオ信号を送信するための信号送信モジュールと、
前記オーディオ入力装置のオーディオ信号を前記信号送信モジュールに伝送するように前記第二差込口に差し込むための第二プラグと、含み、
カードスロットは、前記第二プラグの側壁に設けられ、その設置方向は前記第二差込口の設置方向と垂直であり、
前記無線オーディオ送信機は、さらに、前記カードスロット内に設けられて前記カードスロットの底部及び前記第二差込口の壁に当接している弾性部材を含む
ことを特徴とする請求項１乃至８のいずれか一項に記載の無線オーディオ伝送システム。
【請求項１０】
前記カードスロットの配置経路は、前記第二プラグの外側に沿い、閉鎖円環状又は開放円環状に設置されており、
前記カードスロットの円環中心軸線は、前記第二差込口の設置方向と平行であり、
前記弾性部材は、開放円環状に設置された板バネであり、
前記カードスロットの円環の半径は、前記弾性部材の円環の半径と嵌め合う
ことを特徴とする請求項９に記載の無線オーディオ伝送システム。
【請求項１１】
前記弾性部材は、断面形状が少なくとも開口が内部に向かうように環状に設置されたＶ字形を含み、対応する円心角は２７０°より大きくかつ３５０°より小さい
ことを特徴とする請求項９に記載の無線オーディオ伝送システム。
【請求項１２】
貫通設置された複数の短冊孔は、前記弾性部材に半径方向に設けられており、その長さ方向は前記第二差込口の設置方向であり、前記弾性部材の環状設置方向に沿って間隔をおいて配置されている
ことを特徴とする請求項９に記載の無線オーディオ伝送システム。
【請求項１３】
各前記短冊孔は、等間隔に配置されている
ことを特徴とする請求項１２に記載の無線オーディオ伝送システム。
【請求項１４】
前記無線オーディオ送信機は、さらに前記第二プラグに接続されている第二ハウジングを含み、
前記第二ハウジングは、開口を備え且つ前記信号送信モジュールを収納するための第二収納キャビティーを形成するように取り囲んでおり、
前記第二プラグは、前記第二ハウジングの開口箇所に接続されている
ことを特徴とする請求項１０乃至１３のいずれか一項に記載の無線オーディオ伝送システム。
【請求項１５】
前記第二収納キャビティー内に前記信号送信モジュールに給電するための第二充電電源が設置されており、
前記第二ハウジングにさらに前記第二充電電源に充電するための外部電源用の第二充電差込口が設けられている
ことを特徴とする請求項１４に記載の無線オーディオ伝送システム。
【請求項１６】
前記無線オーディオ送信機は、さらに、いずれも前記第二ハウジングに設置されて前記第二充電電源と前記信号送信モジュールとの間の電気的接続をオン／オフするための第二電源ボタンと、前記信号送信モジュールの通信チャネルを切り換えるための第二周波数変調ボタンと、前記無線オーディオ送信機と異なる外部オーディオ装置との接続を切り換えるための切換ボタンと、を含む
ことを特徴とする請求項１５に記載の無線オーディオ伝送システム。
【考案の詳細な説明】
【技術分野】
【０００１】
本考案は、通信技術装置の分野に属し、特に無線オーディオ伝送システムに関する。
【背景技術】
【０００２】
現在、開発されている２．４Ｇｈｚデジタル無線オーディオ伝送システムは、無線オーディオ送信機と、無線オーディオ受信機と、を含む。しかしながら、従来の２．４Ｇｈｚデジタル無線オーディオ受信機は、大型で、かつ接続線により調音台等のオーディオ出力装置に接続され、専用の場所に置く必要があるため、使用上不便である。
【０００３】
デジタル技術が益々普及した現代にとって、従来の無線オーディオ伝送システムは、今日の発展需要を満たすことができない。
【考案の概要】
【考案が解決しようとする課題】
【０００４】
従来技術における無線オーディオ伝送システムの無線オーディオ受信機は、接続線を増設しない場合、オーディオ出力装置に直接差し込むことができない。
【課題を解決するための手段】
【０００５】
本考案は以下のように技術的課題を解決する。
無線オーディオ伝送システムは、オーディオ入力装置に差し込まれ且つオーディオ信号を送信するための無線オーディオ送信機と、オーディオ出力装置に差し込まれ且つ前記オーディオ信号を受信するための無線オーディオ受信機と、を含む。
ここで、前記オーディオ出力装置に前記無線オーディオ受信機が差し込まれるための第一差込口が設けられている。
前記オーディオ入力装置に前記無線オーディオ送信機が差し込まれるための第二差込口が設けられている。
前記無線オーディオ受信機は、前記オーディオ信号を受信するための信号受信モジュールと、信号により前記信号受信モジュールに接続され且つ前記信号受信モジュールが受信した前記オーディオ信号を前記オーディオ入力装置に伝送するように前記第一差込口に差し込むための第一プラグと、前記第一プラグに接続されている第一ハウジングと、を含む。
前記第一ハウジングは、開口を備え且つ前記信号受信モジュールを収納するための第一収納キャビティーを形成するように取り囲んでいる。
前記第一プラグは、前記第一ハウジングの開口箇所に接続されている。
【０００６】
さらに、前記第一プラグは、前記第一ハウジングに向かう端面に設置され且つ前記第一ハウジングに接続されるように前記第一プラグを位置決めするための位置決め凸部を含む。
前記第一ハウジングに前記位置決め凸部と嵌め合うための位置決め溝が設けられている。
【０００７】
さらに、前記第一プラグは、前記第一収納キャビティーに延伸し且つ複数の接続アームを形成する。
複数の前記接続アームは、一端が前記プラグに接続され、他端が前記ハウジングに接続され、前記位置決め凸部の両側に均一に配置されている。
【０００８】
さらに、各前記接続アームには第一接続孔が設けられている。
前記第一ハウジングに前記第一接続孔に対応する位置に第二接続孔が設けられている。
【０００９】
さらに、前記信号受信モジュールは、オーディオ信号を受信するためのアンテナを含む。
前記無線オーディオ受信機は、さらに前記ハウジングに接続され且つ前記アンテナの外側を包むアンテナカバーを含む。
【００１０】
さらに、前記アンテナカバーの前記第一ハウジングに接続された端面に複数のフックが設置されている。
前記ハウジングには、前記フックに嵌め合う複数のフック溝が設けられている。
各前記フックは対応する前記フック溝内に係合されている。
【００１１】
さらに、前記第一収納キャビティー内に、前記信号受信モジュールに給電するための第一充電電源が設置されている。
前記第一ハウジングには、さらに前記第一充電電源に充電するための外部電源用の第一充電差込口が設けられている。
【００１２】
さらに、前記無線オーディオ受信機は、いずれも前記第一ハウジングに設置されて前記第一充電電源と前記信号受信モジュールとの間の電気的接続をオン／オフするための第一電源ボタンと、前記信号受信モジュールの通信チャネルを切り換えるための第一周波数変調ボタンと、を含む。
【００１３】
さらに、前記無線オーディオ送信機は、外部に前記オーディオ信号を送信するための信号送信モジュールと、
前記オーディオ入力装置のオーディオ信号を前記信号送信モジュールに伝送するように前記第二差込口に差し込むための第二プラグと、を含む。
カードスロットは、前記第二プラグの側壁に設けられ、その設置方向は前記第二差込口の設置方向と垂直である。
前記無線オーディオ送信機は、前記カードスロット内に設けられて前記カードスロットの底部及び前記第二差込口の壁に当接している弾性部材を含む。
【００１４】
さらに、前記カードスロットの配置経路は、前記第二プラグの外側に沿い、閉鎖円環状又は開放円環状に設置されている。
前記カードスロットの円環中心軸線は、前記第二差込口の設置方向と平行である。
前記弾性部材は、開放円環状に設置された板バネである。
前記カードスロットの円環の半径は、前記弾性部材の円環の半径と嵌め合う。
【００１５】
さらに、前記弾性部材は、断面形状が少なくとも開口が内部に向かうように環状に設置されたＶ字形を含み、対応する円心角は２７０°より大きくかつ３５０°より小さい。
【００１６】
さらに、貫通して設置された複数の短冊孔は、前記弾性部材に半径方向に設けられ、その長さ方向は前記第二差込口の設置方向であり、前記弾性部材の円環状の設置方向に沿って間隔をおいて配置されている。
【００１７】
さらに、各前記短冊孔は、等間隔に配置されている。
【００１８】
さらに、前記無線オーディオ送信機は、さらに前記第二プラグに接続されている第二ハウジングを含む。
前記第二ハウジングは、開口を備え且つ前記信号送信モジュールを収納するための第二収納キャビティーを形成するように取り囲んでいる。
前記第二プラグは、前記第二ハウジングの開口箇所に接続されている。
【００１９】
さらに、前記第二収納キャビティー内には、前記信号送信モジュールに給電するための第二充電電源が設置されている。
前記第二ハウジングには、さらに前記第二充電電源に充電するための外部電源用の第二充電差込口が設けられている。
【００２０】
前記無線オーディオ送信機は、さらに、いずれも前記第二ハウジングに設置されて前記第二充電電源と前記信号送信モジュールとの間の電気的接続をオン／オフするための第二電源ボタンと、前記信号送信モジュールの通信チャネルを切り換えるための第二周波数変調ボタンと、前記無線オーディオ送信機と異なる外部オーディオ装置との接続を切り換えるための切換ボタンと、を含む。
【考案の効果】
【００２１】
本考案において、オーディオ出力装置に第一差込口が設けられている。無線オーディオ受信機は、第一プラグがオーディオ出力装置の第一差込口に差し込まれているため、接続線を使用せずに無線オーディオ受信機がオーディオ出力装置に直接接続されることを実現する。それによって、無線オーディオ送信機は、オーディオ入力装置から伝送されたオーディオ信号を伝送する。オーディオ信号は、無線オーディオ受信機に受信された後、余分な接続線を使用せずにオーディオ出力装置に直接伝送されている。このような差込方式は、簡単で効果的であり、空間を占用しないため、無線オーディオ伝送システムは利用しやすくなる。
【図面の簡単な説明】
【００２２】
【図１】本考案の実施例による無線オーディオ受信機の構造概略図である。
【図２】図１の分解図である。
【図３】図１の第一ハウジングの構造概略図である。
【図４】図１の第一プラグの構造概略図である。
【図５】図１のアンテナカバーの構造概略図である。
【図６】本考案の実施例による無線オーディオ受信機の構造概略図である。
【図７】図６の弾性部材の構造概略図である。
【考案を実施するための形態】
【００２３】
以下、本考案の実施例を詳細に説明する。前記実施例の例示は図面に示されている。ここで、一貫して同一又は類似の符号は、同一又は類似の部品又は同一又は類似の機能を有する部品を表す。以下図面により説明される実施例は、例示的なものであり、本考案を説明するためのものに過ぎず、本考案を限定するためのものではないことを理解すべきである。
【００２４】
本考案の説明において、“厚さ”、“上”、“下”、“垂直”、“平行”、“底”、“角”等の用語が標示した方位又は位置関係は、図面に示された方位又は位置関係に基づいて本考案の説明を簡単にするためのものに過ぎず、装置又は部品が特定の方位、及び方位構造、操作を備えることを指示又は示唆するためのものではなく、本考案を限定するためものではないことを理解すべきである。
【００２５】
本考案において、明確な規定及び制限以外、“装着”、“接続”等の用語は、広義に理解されるべきである。例えば、固定接続されてもよく、また分解可能に接続されてもよく、或いは一体化されていてもよい。機械的に接続されてもよく、又は電気的に接続されてもよい。直接接続されてもよく、又は中間媒体により間接的に接続されてもよい。また二つの部品の内部の接続又は二つの部品の相互作用関係であってもよい。
【００２６】
図１−図３に示されているように、本考案の実施例が提供する無線オーディオ伝送システムは、オーディオ出力装置に差し込まれる無線オーディオ受信機（１００ａ）と、オーディオ入力装置に差し込まれる無線オーディオ送信機（１００ｂ）と、を含む。具体的には、本実施例において、前記オーディオ出力装置は、調音台等の外部にオーディオ信号を送信する装置であってもよい。前記オーディオ入力装置は、無線マイク等の外部からオーディオ信号を受信する装置であってもよい。
【００２７】
無線オーディオ送信機（１００ｂ）は、無線マイク（図示せず）に差し込まれ且つオーディオ信号を送信するためのものである。無線オーディオ受信機（１００ａ）は、調音台（図示せず）に差し込まれ且つオーディオ信号を受信するためのものである。無線オーディオ伝送システムは、無線オーディオ受信機（１００ａ）が調音台に直接差し込まれ、２．４Ｇデジタル無線伝送技術によりオーディオ信号の無線伝送を実現する。それによって、従来のアナログ調音台を、デジタルオーディオ信号を受信できるデジタル信号受信調音台に変換させる。
【００２８】
前記調音台には、前記無線オーディオ受信機（１００ａ）が差し込まれる第一差込口（図示せず）が設けられている。前記無線マイクには、前記無線オーディオ送信機（１００ｂ）が差し込まれる第二差込口（図示せず）が設けられている。前記無線オーディオ受信機（１００ａ）は、前記オーディオ信号を受信するための信号受信モジュール（図示せず）と、信号により前記信号受信モジュールに接続され且つ前記信号受信モジュールが受信した前記オーディオ信号を調音台に伝送するように前記第一差込口に差し込むための第一プラグ２０と、前記第一プラグ２０に接続されている第一ハウジング１０と、を含む。本実施例における無線オーディオ受信機（１００ａ）の第一プラグ２０は、キャノンプラグである。
【００２９】
調音台には、第一差込口が設けられている。無線オーディオ受信機（１００ａ）は、第一プラグ２０が調音台の第一差込口に差し込まれているため、接続線を使用せずに無線オーディオ受信機（１００ａ）が調音台に直接接続されることを実現する。それによって、無線オーディオ送信機（１００ｂ）は、無線マイクから伝送されたオーディオ信号を送信する。オーディオ信号は、無線オーディオ受信機（１００ａ）に受信された後、余分な接続線を使用せずに調音台に直接伝送されている。このような差込方式は、簡単で効果的であり、空間を占用しないため、無線オーディオ伝送システムは幅広く利用しやすくなる。
【００３０】
前記第一ハウジング１０は、開口を備え且つ前記信号受信モジュールを収納するための第一収納キャビティー１１を形成するように取り囲んでいる。前記第一プラグ２０は、前記第一ハウジング１０の開口箇所に接続されている。
【００３１】
前記第一プラグ２０は、さらに前記第一ハウジング１０に向かう端面に設置され且つ前記第一ハウジング１０に接続されるように前記第一プラグ２０を位置決めするための位置決め凸部２１を含む。前記第一ハウジング１０には、前記位置決め凸部２１と嵌め合うように使用される位置決め溝１２が設けられている。位置決め凸部２１が位置決め溝１２に嵌め合うことにより、組立て時に前記第一ハウジング１０の開口箇所に正確に接続されるように第一プラグ２０を案内する。前記位置決め凸部２１の数は２つであり、前記第一プラグ２０の対向する両側に配置されている。
【００３２】
前記第一プラグ２０は、前記第一収納キャビティー１１に延伸し且つ複数の接続アーム２２を形成する。複数の前記接続アーム２２の一端は前記第一プラグ２０に接続され、他端は前記第一ハウジング１０に接続され、前記位置決め凸部２１の両側に均一に配置されている。
【００３３】
具体的には、前記接続アーム２２の数は４つであり、２つの位置決め凸部２１の両側にペアを成して配置されている。各前記接続アーム２２には、第一接続孔２２１が設けられている。前記第一ハウジング１０には、前記第一接続孔２２１に対応する位置に第二接続孔（図示せず）が設けられている。ネジが、前記第一接続孔２２１及び前記第二接続孔内に設置され、第一プラグ２０と第一ハウジング１０を一体化させる。
【００３４】
図４、図５に示されているように、前記信号受信モジュールは、オーディオ信号を受信するためのアンテナ（図示せず）を含む。前記無線オーディオ受信機（１００ａ）は、さらに前記第一ハウジング１０に接続され且つ前記アンテナの外側を包むアンテナカバー５０を含む。前記アンテナカバー５０の前記第一ハウジング１０に接続された端面に、複数のフック５１が設置されている。前記ハウジングには、前記フック５１に嵌め合う複数のフック溝１４が設けられている。各前記フック５１は、対応する前記フック溝１４内に係合されている。
【００３５】
前記アンテナカバー５０は、アンテナキャビティー５２を有する。前記アンテナカバー５０の一端は前記信号受信モジュールに接続され、他端は前記アンテナキャビティー５２内に位置する。前記アンテナカバー５０の前記第一ハウジング１０に接続された端面に、４つのフック５１が設置されている。前記第一ハウジング１０が前記フック５１に接続されている位置に前記フック５１に嵌め合う４つのフック溝１４が設けられている。各前記フック５１は、対応する前記フック溝１４内に係合されている。
【００３６】
前記無線オーディオ受信機（１００ａ）は、さらに前記第一収納キャビティー１１内に設置され且つ前記信号受信モジュールに給電するための第一充電電源（図示せず）を含む。好ましくは、前記第一充電電源は、容量が実際の必要に応じて設定することができるリチウム電池である。前記第一ハウジング１０には、さらに前記第一充電電源に充電するための外部電源用の第一充電差込口１３が設けられている。好ましくは、前記第一充電差込口１３は、ＴＹＰＥ−Ｃ差込口である。他の実施例において、前記第一収納キャビティー１１内に第一充電電源に無線給電するための無線充電装置が設置されてもよい。
【００３７】
前記無線オーディオ受信機（１００ａ）は、さらにいずれも前記第一ハウジング１０に設置されて前記第一充電電源と前記信号受信モジュールとの間の電気的接続をオン／オフするための第一電源ボタン３０と、前記信号受信モジュールの通信チャネルを切り換えるための第一周波数変調ボタン４０と、を含む。第一電源ボタン３０により無線オーディオ受信機（１００ａ）のオン／オフ状態を制御することができる。周波数変調ボタン４０により信号受信モジュールの通信チャネルを切り換えることができる。周波数変調ボタン４０を押す毎に、信号受信モジュールの１つの通信チャネルを切り換えることができる。無線オーディオ受信機（１００ａ）がオフの状態になる場合、使用中の最後の通信チャネルが記憶される。第一電源ボタン３０により再び無線オーディオ受信機（１００ａ）を起動する場合、デフォルトの通信チャネルは、オフの際に記憶された通信チャネルである。信号受信モジュールは、６つの通信チャネルを有する。
【００３８】
図６、図７に示されているように、前記無線オーディオ送信機（１００ｂ）は、外部に前記オーディオ信号を送信するための信号送信モジュールと、前記無線マイクのオーディオ信号を前記信号送信モジュールに伝送するように前記第二差込口に差し込むための第二プラグ７０と、を含む。カードスロット（図示せず）は、前記第二プラグ７０の側壁に設けられ、その設置方向は前記第二プラグの設置方向と垂直である。前記無線オーディオ送信機（１００ｂ）は、さらに、前記カードスロット内に設けられて前記カードスロットの底部及び前記第二差込口の壁に当接している弾性部材８０を含む。本実施例において、無線オーディオ送信機（１００ｂ）の第二プラグ７０は、キャノンソケットである。
【００３９】
無線オーディオ送信機（１００ｂ）と無線マイクは、第二プラグ７０と第二差込口との差込により一体に接続されている。カードスロットが前記第二プラグ７０の側壁に設けられている。前記カードスロット内にカードスロットの底部及び前記第二差込口の壁に弾性的に当接している弾性部材８０が設けられている。それによって、弾性部材８０の弾性的当接により、第二プラグ７０と第二差込口との間の作用力を大きくし、無線オーディオ送信機（１００ｂ）と無線マイクとの差込を強固にする。このような差込方式は簡単で効果的であるため、無線オーディオ送信機（１００ｂ）は使用中に緩みにくくなる
【００４０】
前記カードスロットの配置経路は、前記第二プラグ７０の外側の表面に沿い、閉鎖円環状又は開放円環状に設置されている。好ましくは、本実施例における前記カードスロットの配置経路は、開放円環状に設置されている。前記カードスロットの円環中心軸線は、前記第二差込口の設置方向と平行である。更によい使用効果を達成するために、カードスロットの円環中心軸線は、第二差込口の中心軸線と重なる。前記弾性部材８０は、開放円環状に設置された板バネである。前記カードスロットの円環の半径は、前記弾性部材８０の円環の半径と嵌め合う。具体的には、弾性部材８０は、前記カードスロット内に係合されている場合、拡張状態であるため、前記カードスロット内にしっかり係合されている。好ましくは、弾性部材８０の材質は、金属である。
【００４１】
図７に示されているように、前記弾性部材８０は、断面形状が少なくとも開口が内部に向かうように環状に設置されたＶ字形を含む。具体的には、前記弾性部材８０は、断面形状がＶ字形又は二つのＶ字の組合せで形成したＷ字形又は二つ以上のＶ字の組合せで形成した形状であってもよい。好ましくは、本実施例における弾性部材８０の断面形状は、Ｖ字形である。開放円環状を有する弾性部材８０は、使用中にカードスロットから離脱しないように、対応する円心角が２７０°より大きくかつ３５０°より小さい。弾性部材８０は、対応する円心角が２７０°、３００°、３２０°、３５０°であってもよい。本実施例における弾性部材８０は、対応する円心角が３００°である。
【００４２】
複数の短冊孔８２は、前記弾性部材８０に半径方向に設けられ、前記弾性部材８０の両側表面を貫通し、その長さ方向は前記第二差込口の設置方向と同じであり、前記弾性部材８０の円環状の設置方向に沿って等間隔に配置されている。
【００４３】
前記冊孔８２の設置は、弾性部材８０の頂点８１が第二差込口の壁に圧縮される場合、弾性部材８０が適切な弾性変形を生成することにより前記カードスロットの底部と前記第二差込口の壁との間に弾性的に当接しているため、第二差込口と第二プラグ７０との良い差込効果を達成することに役立つ。
【００４４】
前記無線オーディオ送信機（１００ｂ）は、さらに前記第二プラグ７０に接続されている第二ハウジング６０を含む。前記第二ハウジング６０は、開口を備え且つ前記信号送信モジュールを収納するための第二収納キャビティー（図示せず）を形成するように取り囲んでいる。前記第二プラグ７０は、前記第二ハウジング６０の開口箇所に接続されている。
【００４５】
図６に示されているように、前記無線オーディオ送信機（１００ｂ）は、さらにいずれも前記第二ハウジング６０に設置されて前記第二充電電源と前記信号送信モジュールとの間の電気的接続をオン／オフするための第二電源ボタン６４と、前記信号送信モジュールの通信チャネルを切り換えるための第二周波数変調ボタン６２と、前記無線オーディオ送信機（１００ｂ）と異なる外部オーディオ装置（図示せず）との接続を切り換えるための切換ボタン６３と、を含む。前記第二周波数変調ボタン６２により信号送信モジュールの通信チャネルを切り換える場合、第二周波数変調ボタン６２を押す毎に、信号送信モジュールの一つの通信チャネルを切り換えることができる。第二電源ボタン６４により無線オーディオ送信機（１００ｂ）をオフの状態にする場合、使用中の最後の通信チャネルが記憶されると同時に無線オーディオ受信機（１００ａ）は無音状態にある。第二電源ボタン６４により再び無線オーディオ送信機（１００ｂ）を起動する場合、デフォルトの通信チャネルは、オフの際に記憶された通信チャネルである。信号送信モジュールは、６つの通信チャネルを有する。
【００４６】
無線オーディオ送信機（１００ｂ）が異なる外部オーディオ入力装置に接続されることができるように、切換ボタン６３により無線オーディオ送信機（１００ｂ）の異なる接続位置を切り換える。具体的には、本実施例における切換ボタン６３は、Ｍｉｃ（マイク）及びＬｉｎｅ（回線）の２つの位置を備える。切換ボタン６３がＭｉｃにある場合、無線オーディオ送信機（１００ｂ）は、外部の無線マイクに接続されることができる。外部の他のオーディオ入力装置に接続されている必要がある場合、接続されたオーディオ入力装置が出力した音量が異なるため、切換ボタン６３によりＬｉｎｅ位置に切り換える際、無線オーディオ送信機（１００ｂ）が−１２ｄＢの音量を備え、接続されたオーディオ入力装置は、出力音量が大きすぎても音割れを生じない。無線オーディオ送信機（１００ｂ）が外部のオーディオ入力装置に接続されている場合、接続されたオーディオ入力装置が備える差込口のタイプは第二プラグ７０に嵌め合う必要がある。
【００４７】
前記第二収納キャビティー内には、前記信号送信モジュールに給電するための第二充電電源（図示せず）が設置されている。好ましくは、第二充電電源は、リチウム電池である。前記第二ハウジング６０には、さらに前記第二充電電源に充電するための外部電源用の第二充電差込口６１が設けられている。好ましくは、前記第二充電差込口６１は、ＴＹＰＥ−Ｃ差込口である。他の実施例において、第二充電電源に無線給電するための無線充電装置が設置されてもよい。
【００４８】
無線オーディオ送信機（１００ｂ）が無線マイクに対応する第二差込口に差し込まれていることによりプラグアンドプレイを実現する。また、無線オーディオ送信機（１００ｂ）の内部に第二充電電源が設置され、他の給電装置を増設する必要がないため、構造が簡単で、携帯しやすい。
【００４９】
上記は本考案の優れた実施例に過ぎず、本考案を制限するものではない。本考案の精神及び原則内でなされたあらゆる変更、等価置換及び改良等は、本考案の保護範囲内に含まれるべきである。
【図１】
0003229959.tif 000003
【図２】
0003229959.tif 000004
【図３】
0003229959.tif 000005
【図４】
0003229959.tif 000006
【図５】
0003229959.tif 000007
【図６】
0003229959.tif 000008
【図７】
0003229959.tif 000009